(57)【要約】【課題】ケーブル端上のコンタクトピースの放射状コンタクトプレスのためのコンタクトプレス工具に関する。【解決手段】プレス工具は、ケーブル端を受けるカップ形部、およびカップ形部の壁を囲繞しかつケーブル周辺にカップ形部の壁を放射状にプレスするためにカップ形部上を軸方向に移動するグランドを含み、相互に対して線運動する二つのクランプジョーを含む。第一クランプジョーは複数アダプタを担持するタレットである。解除自在係止装置が回転位置にタレットを保持する。プレス工具は、クランプジョーが再度離隔する前に、最小距離に位置決めする係止機構を有する。複数のアダプタがタレット上方垂直位置に取り付けられ、アダプタに適合するコンタクトピースが、クランプジョーがその最小距離に位置決めされるときに、正確なコンタクトプレスされる。【選択図】図１
2007149634.tif 000002
【特許請求の範囲】
【請求項１】
相互に対して近づいたり離れたりする可動性の一対のクランプジョー（１，２）、トランスミッション（３）を介して前記クランプジョーの回転運動を線運動に変換する相互に対して移動自在のハンドルブランチ（４、５）、前記ハンドルブランチの係止を解除して前記クランプジョーを離隔する前に、前記クランプジョーを選択された相互最小距離に確実に運ぶ係止機構（６）、およびグランド（３１）を含み、前記クランプジョーの第一ジョー（１）がアダプタ（４０）を担持するように構成され、前記アダプタがケーブル（２０）の端部上に予め設置されたコンタクトピース（３０）のコネクタ（２３，３６，３７）を取り付け自在に受け、前記クランプジョーの第二ジョー（２）が前記ケーブルを受けるスロットを有し、前記スロットは、前記コンタクトピースが前記クランプジョーの運動の相互方向に平行に軸方向へ誘導されるように、前記コネクタと反対側のコンタクトピースの端部上に作用し、前記コンタクトピースが前記ケーブルの端部を受けるカップ形部（３３）を含み、前記グランドが前記カップ形部を囲繞しかつ前記カップ形部と緊密結合して前記ケーブルに対して前記カップ形部の壁を放射状に圧縮するために前記カップ形部を軸方向に押し上げる、コンタクトプレス工具において、
第一クランプジョー（１）は軸（１２）を中心に回転するタレット（１０）を担持し、前記タレット（１０）はタレット（１０）の回転軸を中心とする円弧上に配設された複数の異なるアダプタ（４０）を担持し、前記タレットはそれぞれのアダプタ（４０）が付属コンタクトピース（３０）の支持のために作業位置に向かうように位置決めされる回転位置へ回転自在であることを特徴とするコンタクトプレス工具。
【請求項２】
各アダプタ（４０）はタレット（１０）の上方所定高さで設置され、前記クランプジョー（１，２）が前記係止機構（６）により形成される最小距離に位置決めされるときに付属コンタクトピース（３０）は前記グランド（３１）および前記カップ形部（３３）の軸方向における所定移動により前記アダプタに当接することを特徴とする請求項１によるコンタクトプレス工具。
【請求項３】
解除自在係止装置（５０）が、前記アダプタ（４０）の作業位置において前記タレット（１０）と回転自在に係止するように配設されていることを特徴とする請求項１によるコンタクトプレス工具。
【発明の詳細な説明】
【技術分野】
【０００１】
本発明は請求項１の序文に記載の種類のコンタクトプレス工具(contact pressing tool)に関する。
【背景技術】
【０００２】
例えば、同軸ケーブルまたは類似ケーブル等の端部上にコンタクトピース（contact piece）をコンタクトプレス（もしくは圧着=crimping）により正確に取り付ける（mount)するために、実質的カップ形端部を有し、その筒状周壁がケーブルの端部を受ける第一グランド（gland）および第一グランドの端部を囲繞しかつその上に軸方向に移動自在の第二グランドを形成し、両グランドの近接面の少なくとも一つが楔形面を有して内方のグランドがケーブルの端部のまわりに形成的にコンタクトプレスされかつ両グランドを軸方向へ一緒に運んだ上でケーブルの端部に密接に固定するようにする。かかるタイプのコンタクトプレスのかかるコンタクトピースは、例えばCATV"F",BNC,RCA等の呼称で周知でありかつ市販され、コンタクトピースは、通常、相互に対して共働する二タイプ、即ち雄雌として利用可能である。
【０００３】
これに関連して、手動操作タイプの工具、即ちフィールドワーキング工具（field-working tool)によりかかるコンタクトピースをマウントすることは実際には既知である。フィールドワーキング工具は、一対の相互に移動自在のジョーまたはクランプジョーを有し、ジョーは相互に対して近づいたり離れたりし、その関係で平行である。その関係で、この工具は一対の相互に対して移動自在のハンドルブランチを有し、ハンドルブランチは、それ自体既知のトランスミッションによって、ブランチ運動をジョーの運動へ転換する。更に、工具はそれ自体周知の係止機構を備え、係止機構はクランプジョーが選択された相互最小距離に運ばれ、その後に係止を解除してブランチおよびジョーをもう一つの運動のために分離させる。
【０００４】
各コンタクトピースは、ケーブル端を挿入しかつ取り付ける第一端、および雄雌コンタクト等のコネクタを有する。二つのクランプジョーの一つの第一ジョーはアダプタを担持するように構成され、アダプタはコンタクトピースを案内および支持するためにコンタクトピースのコネクタをしっかりと受ける。コンタクトピースの反対側の管状端部はケーブルの端部上に挿入される。第二ジョー／コンタクトプレス工具のクランプジョーはケーブル用のリセスを有し、ケーブルがリセスに受けられるときに、クランプジョーの運動の相互方向へ平行に誘導されるようにする。リセスの端は、コンタクトピースのカップ形に形成された放射状内グランド上かつそのまわりでの軸方向移動のために、コンタクトピースの移動可能グランドに当接し、その場合に、コンタクトピースの内グランドは半径方向内方に向かって対称的に弾性変形かつ／または塑性変形する。
【０００５】
ケーブル端は、通常、絶縁ケースを有し、その端部は剥離される。ケーブルに潜在的に一体化され、かつかかる場合にむき出しにされるケーブルシールドは、コンタクトプレス作業時にグランドの内周壁と接触させるために、絶縁ケース上に折り曲げられる。この関係で、ケーブルの中心コンダクタはグランドの下壁内の絶縁ブッシングを介して連結コンタクトピース上の対応する雌コンタクトまで軸方向へ伸張して、そのコンタクトと接触する。
【０００６】
コンタクトピースは、例えば内ねじを有するナットスリーブの形態のカップリング継手の第一部を有していてよく、カップリング継手の第一部は共働するコンタクトピース上の外ねじの形態のカップリング継手の第二部と係合するようにコンタクトピース上に回転可能に取り付けられる。
【０００７】
アダプタおよびリセスはクランプジョーの運動の相互方向に平行の線に沿って整列し、コンタクトおよびケーブルは、それぞれアダプタ上およびリセス内の所定位置に予め取り付けられかつ設置され、第二クランプジョーはコンタクトピースの移動自在グランドの自由端近くに位置決めされる。
【０００８】
そのようにして、コンタクトプレス工具を駆動し、コンタクトピースのグランドを、ケーブル端を受けるコンタクトピースの固定したカップ部上に押し下げ、それによりコンタクトプレスを確実にする。
【０００９】
当然ながら、コンタクトプレス工具は複数の異なるタイプのコンタクトピースに使用できるものであるべきである。この関係で、既に知られているように、一群のアダプタ、即ち問題とする異なるコンタクトピース用の各タイプのコネクタのために一つのアダプタを有する。一つの問題として、作業員は先に使用したアダプタをコンタクトプレス工具から外しかつ相対的に複雑なコンタクトプレス工具の問題のクランプジョー上に問題のアダプタを取り付ける必要があり、毎回、他のタイプのコンタクトピースをケーブル上にコンタクトプレスしなければならない。
【００１０】
これに関連した問題として、作業員は使用頻度間に、一セットのアダプタ内に一つまたはそれ以上の異なるアダプタを容易に弛緩できることである。
【００１１】
他の問題は、工具が、再設置後に問題のタイプのコンタクトピースの雄雌変形体と共働できるアダプタを有する場合に、通常、反対側のクランプジョーからのアダプタの距離の調節がコンタクトプレス工具の対応する調節後に必要とされることである。
【発明の開示】
【発明が解決しようとする課題】
【００１２】
従って、本発明の課題は上述の一つまたはそれ以上の欠点を全体的または部分的に解消するコンタクトプレス工具を提供することにある。
その課題は本発明により達成される。
【課題を解決するための手段】
【００１３】
課題を解決するための本発明による手段は独立請求項に記載されている。
本発明の実施形態は従属請求項に記載されている。
【００１４】
即ち、本発明は、相互に対して近づいたり離れたりする可動性の一対のクランプジョー、トランスミッションを介して前記クランプジョーの回転運動を線運動に変換する相互に対して移動自在のハンドルブランチ、前記ハンドルブランチの係止を解除して前記クランプジョーを離隔する前に、前記クランプジョーを選択された相互最小距離に確実に運ぶ係止機構、およびグランドを含み、前記クランプジョーの第一ジョーがアダプタを担持するように構成され、前記アダプタがケーブルの端部上に予め設置されたコンタクトピースのコネクタを取り付け自在に受け、前記クランプジョーの第二ジョーが前記ケーブルを受けるスロットを有し前記スロットが、前記コンタクトピースが前記クランプジョーの運動の相互方向に平行に軸方向へ誘導されるように、前記コネクタと反対側のコンタクトピースの端部上に作用し、前記コンタクトピースが前記ケーブルの端部を受けるカップ形部を含み、前記グランドが前記カップ形部を囲繞しかつ前記カップ形部と緊密結合して前記ケーブルに対して前記カップ形部の壁を放射状に圧縮するために前記カップ形部を軸方向に押し上げる、コンタクトプレス工具を提供する。
【００１５】
かかるコンタクトプレス工具において、本発明による第一クランプジョーは軸を中心に回転するタレットを担持し、前記タレットはタレットの回転軸を中心とする円弧上に配設された複数の異なるアダプタを担持し、前記タレットはそれぞれのアダプタが付属コンタクトピースの支持のために作業位置に向かうように位置決めされる回転位置へ回転自在であることを特徴とする。
【００１６】
好適形態において、各前記アダプタは前記タレットの上方所定高さで設置され、一対の前記クランプジョーが前記係止機構により形成される最小距離に位置決めされるときに付属コンタクトピースは前記グランドおよび前記カップ形部の軸方向における所定移動により前記アダプタに当接する構成である。
【００１７】
好適形態において、解除自在係止装置が、前記アダプタの作業位置において前記タレットと回転自在に係止するように配設されている。
【００１８】
好適形態において、タレットは、例えば、反対工具部品内の付属皿穴に係合するバネ負荷リベット型等の、解除自在係止装置によってアダプタの正確位置にタレット１０を解除自在に係止できる。更に、タレットは、基準へ誘導されるときに対応するアダプタが作業位置にあることを示す複数の異なるマーキングを、底側で周辺に有していてよい。
【発明の効果】
【００１９】
複数のアダプタをタレット上に取り付け、クランプジョーの運動の相互方向に平行のタレットの回転軸を中心とする円の円弧に沿って配置することにより、一つの第一クランプジョー上に回転自在に取り付けたタレットが多数のアダプタを容易に担持できる効果が得られ、かつアダプタを第二クランプジョーと反対側で正確位置へ容易に挿入できる効果が得られる。アダプタは反対側のクランプジョーに対して常時正確な相互間距離を維持するようにタレット上で相互に間隔をおいて担持されているのでコンタクトプレス工具は、タレットの問題のアダプタが作業位置へ駆動されると同時に直ちに使用できる。
【発明を実施するための最良の形態】
【００２０】
次に、添付図面を参照して例示として本発明を説明する。
【００２１】
図１において、手動操作可能コンタクトプレス工具は、例えば同軸ケーブル等のケーブル２０の端部上にコンタクトピース３０のコンタクトプレス（圧着）のために示されている。この工具は、二つの相互に平行のクランプジョー１、２を含み、コンタクトピース３０が工具上に正確に取り付けられるときに、クランプジョーは、コンタクトピース３０の軸と平行の方向へ相互に線移動可能である。
【００２２】
工具は、手動操作可能なタイプであり、二つのハンドルブランチ４、５を含み、二つのハンドルブランチは相互に回転自在であり、トランスミッション３を駆動し、トランスミッション３はクランプジョー１、２の運動を相互に対して伝達する。トランスミッション３はそれ自体既知タイプである。ハンドルブランチ４、５間には係止機構６が示されている。係止機構は、ハンドルブランチ４、５が調整可能端位置へ共に運ばれると、ブランチ４、５の係止を解除して相互から離隔してクランプジョー１、２を分離させる。
【００２３】
クランプジョーの一つ１はタレット１０を担持し、タレット１０は軸１２を中心に回転可能に取り付けられ、軸１２はクランプジョー１の移動の相互方向に平行である。例えば、タレット１０はジャーナル１１を有し、ジャーナル１１はクランプジョー１内の付属軸受けマウント内に取り付けられる。
【００２４】
クランプジョー２に対面するタレット１０の側に、複数のアダプタ４０が取り付けられる。アダプタ４０は円弧上に中心が位置決めされ、円の中心は軸１２に合致する。
【００２５】
クランプジョー１上のバネ負荷リベットタイプの、例えば解除自在係止装置５０、およびリベットと共働するタレット１０内のそれぞれのリセスは、それぞれの付属アダプタ４０を作業位置に係止させる。これに関連して、コンタクトピース３０の自由端部は作業位置においてアダプタ４０上に受けられ、かつコンタクトピース３０に連結しているケーブル２０の部分はクランプジョー２のスロット７に受けられ、そのようにしてコンタクトピース３０はクランプジョー１、２の運動８の相互方向と平行の軸方向１８を有する。異なるアダプタ４０がタレット１０のまわりに隔置されている。ジョー１、２が相互に対して、調整自在支持機構６により形成されるように、最小距離のときに、アダプタ４０は垂直位置へ調整され、付属アダプタ４０に適合する各タイプのコンタクトピース３０がケーブル２０の端上に完全にコンタクトプレスされる。
【００２６】
図３はタレット１０が周辺に分配されたマーキング４１を有し、マーキングの各々は付属アダプタに連結され、付属アダプタは対応するマーキングが、ジョー１の対称面、または図示されたような表示器４２等の基準へ向けて位置決めされるときに、そして解除自在係止装置５０がケーブルするときに、作業位置に位置決めされる。
【００２７】
図４から理解されるように、コンタクトピース３０はカップ形部３３を含み、カップ形部は、例えば同軸ケーブル等のケーブル２０の端部を受け、ケーブルのシールド２１は下部のカップ形部の壁との接触のためにケーブルの外カバー上に折り返した状態で示されている。カップ形部の下部３７は中空の筒状絶縁器を有する開口部を有し、同軸ケーブルの中心コンダクタ２３は絶縁器から延びてカップ形部３３の下面３７の下へ突出している。カップ形部３３上には外方に重合したグランド３１がある。グランド３１はカップ形部３３の壁上を移動自在である。カップ形部３３上で共働する壁面およびグランド３１は楔形であり、そのようにしてグランド３１が端位置へ押されてグランド上のバルジ３２がカップ形部３３の下周辺部で付属リセス３４へスナップ係止するときに、カップ形部３３の壁がグランド３１により半径方向へ塑性変形または弾性変形する。これに関連して、ジョー１、２は係止機構６により形成される最小距離になる。
【００２８】
バルジ３２は、グランド３１上に取り付けられる例えばプラスチック製のリングにより形成されてよい。
【００２９】
図４において、カップ形部３３の下部は周辺溝３５を有し、周辺溝３５はナット３６のウエストリムを受け、そのようにしてナット３６はカップ形部３３上で回転自在である。タレット１０の問題のアダプタ４０はナット３６内に受けられ、かつカップ形部の下面３７に当接した状態で示されている。アダプタ４０は、クランプジョー１、２が相互に対して最小距離になるときに、コンタクトピース３０の一緒の運搬される部分が精確になるような高さをタレット１０上に有する。
【００３０】
例えば、雌タイプの対応するコンタクトピース３０がケーブル２０端上に取り付けられる場合に、当然ながら他の付属タイプのアダプタ４０が外ねじを有するコンタクトピースの端の安定した同心支持のために必要とされる。
【００３１】
ケーブル２０端上に複数の異なるコンタクトピース３０のいずれかを取り付ける作業員は、従って、ケーブル２０端上の問題のコンタクトピース３０を予め設置し、かつ対応するアダプタ４０が正確な作業位置へ運ばれるようにタレット１０を回転し、その後に、ケーブルの周辺に密接に圧着しかつケーブルに固定するために図１に示されたように、コンタクトピース３０を導入する。
【図面の簡単な説明】
【００３２】
【図１】コンタクトプレス工具の概略的側面図を示す。
【図２】図１のII-II線に沿った断面図を示す。
【図３】図１のIV-IV線に沿った概略図を示す。
【図４】工具内へ挿入されたケーブルの端部上にコンタクトプレスされる、軸方向に切断され工具へ挿入されたコンタクトピースを示す、図３に対応する部分図である。
【符号の説明】
【００３３】
１，２    クランプジョー
４，５    ハンドルブランチ
６    係止機構
１０    タレット
２０    ケーブル
３０    コンタクトピース
４０    アダプタ
【図１】
2007149634.tif 000003
【図２】
2007149634.tif 000004
【図３】
2007149634.tif 000005
【図４】
2007149634.tif 000006